(57)【特許請求の範囲】
【請求項１】
ワイヤハーネスを構成する電線群の電線同士の複数のスプライス接続部を、該ワイヤハーネスを貫通させる樹脂成形品からなるプロテクタ内に収容しているスプライス収容構造であって、
前記プロテクタは底壁と両側壁とからなる上面開口のプロテクタ本体と、該プロテクタ本体の上面開口を閉鎖する蓋とを備え、
前記プロテクタ本体の両側壁の内面と外面のいずれか一方または両方の上部に、前記蓋で閉鎖される位置に上面開口を有する複数のスプライス収容部を直列または並列に隙間をあけて突設し、該スプライス収容部の個数は前記スプライス接続部の個数と対応させると共に、
前記ワイヤハーネスの幹線より前記スプライス接続部を設けた支線を分岐させ、１個のスプライス接続部を１個のスプライス収容部にそれぞれ収容し、該スプライス収容部に収容する前記スプライス接続部には絶縁保護材を取り付けずに導体を露出させて収容していることを特徴とする車両用ワイヤハーネスのスプライス収容構造。
【請求項２】
前記各スプライス収容部は、上面開口のボックス形状で、プロテクタ本体の側壁と空間をあけて対向する突出側壁と、該突出側壁とプロテクタ本体の側壁とを連結する下側保持壁と、前記スプライス接続部の先端側と対向させる一端側の閉鎖壁と、該スプライス接続部に連続する電線端末引出用の開口を前記閉鎖壁と対向して設けた形状とし、
かつ、前記電線引出側の前記プロテクタ本体の側壁の上端と突出側壁の上端から対向して、可撓性を有する電線抜け防止用押さえ片を突設している請求項１に記載の車両用ワイヤハーネスのスプライス収容構造。
【請求項３】
前記各スプライス収容部の前記閉鎖壁側の底壁に水抜き用開口を設けている請求項３に記載の車両用ワイヤハーネスのスプライス収容構造。
【請求項４】
前記プロテクタ本体の同一側壁に隙間をあけて隣接して設ける前記スプライス収容部は、前記電線端末引出用の開口を対向して設けている一方、
前記幹線から分岐する端末にスプライス接続部を有する分岐線は、２本の分岐線を一組として結束し、端末側で分岐して、各１個のスプライス接続部を前記隣接するスプライス収容部に振り分けて収容している請求項２または請求項３に記載の車両用ワイヤハーネスのスプライス収容構造。
【請求項５】
前記プロテクタ本体の対向する側壁にも前記スプライス収容部を電線端末引出用の開口を対向して設け、４本の分岐線を一組として引き出し、４本の分岐線を２本一組として両側の側壁に振り分けて前記スプライス収容部に各分岐線端末のスプライス接続部を収容している請求項４に記載の車両用ワイヤハーネスのスプライス収容構造。
【請求項６】
前記蓋はプロテクタ本体の一側壁の上端に薄肉ヒンジ部を介して連続して設け、あるいは、前記側壁の外面に前記スプライス収容部を突設している場合は、これらスプライス収容部の突出側壁の上端に薄肉ヒンジ部を介して前記蓋を連続して設け、該スプライス収容部の上面開口を前記蓋で閉鎖し、
または、前記蓋はプロテクタ本体とは別体とし、前記スプライス収容部の上面開口を閉鎖するようにプロテクタ本体に取り付けている請求項１乃至請求項５のいずれか１項に記載の車両用ワイヤハーネスのスプライス収容構造。
【発明の詳細な説明】
【技術分野】
【０００１】
本発明は、車両用ワイヤハーネスのスプライス収容構造に関し、詳しくは、スプライス接続部を複数設けているワイヤハーネスにプロテクタを取り付ける場合において、該プロテクタへの前記スプライス接続部の収容構造を改良するものである。
【背景技術】
【０００２】
ワイヤハーネスのスプライス接続部をプロテクタに収容する構造については、様々なものが提案されている。例えば、特開平１０−２７１６５６号（特許文献１）では、図１１（Ａ）に示すように、側壁１ａと底壁１ｂとからなる角部１ｃを有するプロテクタ等の収容具１の該角部１ｃの内側にスプライス接続部２を収容する構造を示している。
【０００３】
詳しくは、図１１（Ｂ）に示すように、前記角部１ｃの内側に、底壁１ｂにヒンジ１ｄを介して開閉自在に連結した蓋板１ｅを設けると共に、該蓋板１ｅの開閉端は側壁１ａに形成した切欠１ｆに係合させることによって閉鎖状態で該側壁１ａに固定される構成とし、スプライス接続部２を前記蓋板１ｅが固定されている位置に位置決めした後、該蓋板１ｅを側壁１ａ側に倒して閉鎖係止することにより、側壁１ａと底壁１ｂと蓋板１ｅで囲まれた角部１ｃの内側のスペースにスプライス接続部２を収容固定する。
【０００４】
しかしながら、前記収容構造では、ハーネスを結束する電線群の中からハーネス束を結束する前に、スプライス接続部２を設けた電線をより分けて前記角部１ｃ寄りに配線する必要があるうえ、スプライス接続部２を前記蓋板１ｅが固定されている位置に位置決めする作業も容易でなく、作業性に問題があった。また、前記収容構造ではスプライス接続部２がプロテクタ底部にあるため、水がたまり易く、スプライス接続部の被水を完全に防ぐことはできず、スプライス同士の短絡やハーネス内への浸水を防止するために、該スプライス接続部２をシリコンで被覆する等の防水処理作業も必要となる。
【０００５】
また、特開平１１−１９６５２３号（特許文献２）では、図１２（Ａ）（Ｂ）に示すように、スプライス接続部３を絶縁材料からなるキャップ４で密閉、被覆することによって、該スプライス接続部３に絶縁処理を施し、このようにキャップ４で被覆されたスプライス接続部３をプロテクタ５内に形成したキャップ収容室６内に挿入固定する例が示されている。
【０００６】
前記キャップ収容室６は、樋形状のプロテクタ５の両側壁５ｂに沿った位置の底壁５ａより立設したＵ形状の保護壁６ａに囲まれた空間よりなり、上面と一端に開口を有すると共に、前記保護壁６ａの内面に前記キャップ４の両側面を挟持するリブ６ｂを突設している。
【０００７】
しかしながら、前記特許文献２で示される収容構造においては、各スプライス接続部３にキャップ４を被せる前処理を必要としているため、作業性が悪く、かつ、部品点数が多くコスト高となる点に問題がある。また、浸水した場合に水が溜まりやすい底壁５ａと同一高さに前記キャップ収容室６を形成しているため、スプライス接続部３の防水性にも問題がある。
また、仕様差によってスプライス接続部３の径にも差が生じるため、各スプライス接続部３の径に応じて異なる径のキャップ４を使い分ける必要があるうえ、これらキャップ４の径差に応じて前記キャップ収容室６の内寸も変える、あるは多様なキャップ径に対応可能な複雑な形状とする必要がある点にも問題がある。
【０００８】
【特許文献１】特開平１０−２７１６５６号公報
【特許文献２】特開平１１−１９６５２３号公報
【発明の開示】
【発明が解決しようとする課題】
【０００９】
本発明は前記問題に鑑みてなされたもので、各スプライス接続部への個別の絶縁・防水処理作業およびハーネス結束前のスプライス電線のより分け作業を不要として、ワイヤハーネス組立の作業性向上を図ると共に、部品点数を削減し、かつ、仕様差によるスプライス接続部の径の差への対応を可能として低コスト化を図ることができる車両用ワイヤハーネスのスプライス収容構造の提供を課題としている。
【課題を解決するための手段】
【００１０】
前記課題を解決するために、本発明は、ワイヤハーネスを構成する電線群の電線同士の複数のスプライス接続部を、該ワイヤハーネスを貫通させる樹脂成形品からなるプロテクタ内に収容しているスプライス収容構造であって、
前記プロテクタは底壁と両側壁とからなる上面開口のプロテクタ本体と、該プロテクタ本体の上面開口を閉鎖する蓋とを備え、
前記プロテクタ本体の両側壁の内面と外面のいずれか一方または両方の上部に、前記蓋で閉鎖される位置に上面開口を有する複数のスプライス収容部を直列または並列に隙間をあけて突設し、該スプライス収容部の個数は前記スプライス接続部の個数と対応させると共に、
前記ワイヤハーネスの幹線より前記スプライス接続部を設けた支線を分岐させ、１個のスプライス接続部を１個のスプライス収容部にそれぞれ収容し、該スプライス収容部に収容する前記スプライス接続部には絶縁保護材を取り付けずに導体を露出させて収容していることを特徴とする車両用ワイヤハーネスのスプライス収容構造を提供している。
【００１１】
このスプライス収容構造によれば、スプライス収容部をプロテクタ本体の両側壁の上部に設けているため、プロテクタ本体の底壁を伝う水によってスプライス収容部内が浸水することを防止できる。かつ、スプライス収容部の上面開口の位置をプロテクタ本体の前記蓋で閉鎖される位置に設定しているため、該蓋でプロテクタ本体を閉鎖すると同時にスプライス収容部の上面開口も閉鎖でき、該上面開口からのスプライス収容部内への水の浸入も防止できる。また、各スプライス接続部は互いに隔離された各スプライス収容部に一つずつ収容できるため、絶縁処理をする必要がない。
【００１２】
従って、スプライス接続部を前記スプライス収容部に収容することにより、各スプライス接続部に個別に絶縁処理および防水処理を施した場合と同等の効果が得られるため、収容前における各スプライス接続部への絶縁・防水処理作業が不要となり、作業性を向上させることができる。また、従来使用されていたキャップ等の絶縁保護材が不要となり、部品点数を削減できるため、コスト低減も図ることができる。
【００１３】
また、スプライス収容部をプロテクタ本体の側壁上部に形成していることにより、スプライス接続部のスプライス収容部への収容は、幹線をプロテクタ本体に挿通した後に行うことができるため、スプライス接続部を幹線よりも先にプロテクタに固定する場合に必要であったスプライス電線のより分け作業が不要となる。また、スプライス収容部をプロテクタ本体の両側壁の複数個所に分散して設けていることにより、スプライス電線を限られた配線位置に寄せ集める作業も不要となる。
さらに、各スプライス接続部を各スプライス収容部に収容固定することにより、スプライス接続部を容易に位置決めできるうえ、プロテクタ本体の側壁の左右両側および前後方向の複数個所に並設されたスプライス収容部が、プロテクタ本体内に挿通された幹線を複数個所で分散して押さえつけることになるため、ワイヤハーネスを容易かつ確実に位置決めすることができる。以上の点からも、ワイヤハーネス組立の作業性を高めることができる。
【００１４】
さらにまた、前記蓋でスプライス収容部の上面開口を閉鎖することによってスプライス収容部からのスプライス接続部の抜けはずれを規制できるため、スプライス収容部の内壁とスプライス接続部とが接触あるいは圧接している必要がなく、隙間があくことも許容できる。従って、前記スプライス収容部は、簡易な構造でありながら、仕様差によるスプライス接続部の径差に柔軟に対応でき、ワンサイズのスプライス収容部に多様な径のスプライス接続部を収容固定できるため、一層の低コスト化を図ることができる。
【００１５】
さらに、前記スプライス収容部をプロテクタ本体の内面側に形成する場合、樋形状のプロテクタ本体内の上部隅のデッドスペースを利用することになるため、幹線挿通の邪魔にならずに限られたスペースに多数のスプライス接続部を高密度に収容でき、プロテクタの肥大化、ひいてはワイヤハーネス径の肥大化を抑制できる。
【００１６】
前記各スプライス収容部は、上面開口のボックス形状で、プロテクタ本体の側壁と空間をあけて対向する突出側壁と、該突出側壁とプロテクタ本体の側壁とを連結する下側保持壁と、前記スプライス接続部の先端側と対向させる一端側の閉鎖壁と、該スプライス接続部に連続する電線端末引出用の開口を前記閉鎖壁と対向して設けた形状とし、
かつ、前記電線引出側の前記プロテクタ本体の側壁の上端と突出側壁の上端から対向して、可撓性を有する電線抜け防止用押さえ片を突設している。
【００１７】
前記電線抜け防止用の押さえ片を設けることにより、スプライス収容部の上面開口を前記蓋で閉鎖するまでの間に、スプライス収容部に一旦収容したスプライス接続部が上面開口から抜け外れてしまうことを防止でき、作業性をより高めることができる。
また、この押さえ片が可撓性を有することにより、スプライス接続部は該押さえ片を下方に押し下げながらスプライス収容部の上面開口から挿入することができ、かつ、スプライス接続部の径の差は、該押さえ片の撓り具合によって吸収することができるため、多様な径のスプライス接続部の挿入を許容し、かつ、弾性復元により抜け外れも規制することができる。
【００１８】
前記各スプライス収容部の前記閉鎖壁側の下側保持壁には水抜き用開口を設けていることが好ましい。
これにより、スプライス収容部内に水が入り込んだ場合でも、浸水状態が長時間継続することを防止できるため、スプライス接続部の腐食を防止できる。
【００１９】
前記プロテクタ本体の同一側壁に隙間をあけて隣接して設ける前記スプライス収容部は、前記電線端末引出用の開口を対向して設けている一方、
前記幹線から分岐する端末にスプライス接続部を有する分岐線は、２本の分岐線を一組として結束し、端末側で分岐して、各１個のスプライス接続部を前記隣接するスプライス収容部に振り分けて収容してもよい。
【００２０】
このように分岐線を２本一組で結束し、かつ、スプライス収容部も２個一組として互いの電線端末引出用回開口を対向させて設けることにより、スプライス収容部にスプライス接続部を収容する際に、一組に束ねられた分岐線先端の２つのスプライス接続部を、まとめて同時に２つのスプライス収容部に挿入することができ、作業性を一層向上させることができる。
【００２１】
前記プロテクタ本体の対向する側壁にも前記スプライス収容部を電線端末引出用の開口を対向して設け、４本の分岐線を一組として引き出し、４本の分岐線を２本一組として両側の側壁に振り分けて前記スプライス収容部に各分岐線端末のスプライス接続部を収容することが好ましい。
このように、プロテクタ本体の側壁に直列にスプライス収容部を設けると共に、対向する左右側壁にも並列にスプライス収容部を設け、スプライス接続部を端末に設けた分岐線を前後直列方向および左右並列方向に振り分けることにより、プロテクタでスプライス接続部を密に保持することができる。
【００２２】
前記蓋はプロテクタ本体の一側壁の上端に薄肉ヒンジ部を介して連続して設け、あるいは、前記側壁の外面に前記スプライス収容部を突設している場合は、これらスプライス収容部の突出側壁の上端に薄肉ヒンジ部を介して前記蓋を連続して設け、該スプライス収容部の上面開口を前記蓋で閉鎖している。
蓋はプロテクタ本体と薄肉ヒンジを介して一体的に設けることに限定されず、別体として前記スプライス収容部の上面開口を閉鎖するようにプロテクタ本体に取り付けてもよい。
【発明の効果】
【００２３】
上述したように、本発明によれば、スプライス収容部をプロテクタ本体の側壁上部に形成することにより、該スプライス収容部にプロテクタ本体の底面を伝って水が浸入することを防止でき、かつ、該スプライス収容部の上面開口が蓋で閉鎖されることにより、該上面開口からの水の浸入も防止できるため、スプライス接続部をスプライス収容部へ収容することによって、該スプライス接続部への水侵入を防止して防水処理を兼ねることができる。また、各スプライス収容部は離隔して設けられているため、各スプライス収容部に１個のスプライス接続部を収容することによって、スプライス接続部の絶縁処理を兼ねることができる。従って、スプライス接続部に前もって絶縁処理や防水処理を施す必要がないため、工数を削減でき、かつ、キャップ等の部品も削減でき、作業性向上およびコスト低減を図ることができる。
【００２４】
さらに、スプライス接続部のスプライス収容部に収容するだけであるため、スプライス接続部の位置決めが容易であるうえ、前記スプライス収容部をプロテクタ本体の内面側の複数個所に分散して設けることにより、プロテクタ内に挿通したハーネスを該スプライス収容部によって複数個所で押さえつけることができ、ハーネスを容易かつ確実に位置決めすることができる。
【００２５】
さらにまた、前記スプライス収容部をプロテクタ本体の両側壁上部に複数設けていることにより、ハーネスを先にプロテクタ本体に挿通した後にスプライス接続部をスプライス収容部に収容していくことができるため、スプライス電線を予めより分けておいたり、限られた配線位置に寄せ集めておく作業が不要となる。
【００２６】
さらに、スプライス収容部は、上面開口を閉鎖する蓋によってスプライス接続部の抜けはずれを規制するため、スプライス収容部の内壁がスプライス接続部に当接あるいは圧接している必要がなく、容易な構造でありながら異なる径のスプライス接続部の収容固定が可能となることによって一層の低コスト化を図ることができる。
【発明を実施するための最良の形態】
【００２７】
以下、本発明の実施形態を図面を参照して説明する。
図１乃至図７に、本発明の第一実施形態に係る車両用ワイヤハーネス１０のスプライス収容構造を示す。
【００２８】
ワイヤハーネス１０を構成する電線群には、図１（Ａ）に示すように、幹線１１から分岐させる複数の支線１２の端末を互いに圧着端子で圧着または溶接等で接合したスプライス接続部１４を有する分岐線１３（１３Ａ、１３Ｂ）を設けている。
前記ワイヤハーネス１０にはスプライス接続部１４を軸線方向に所要間隔をあけて複数形成している。これら複数のスプライス接続部１４は後述するプロテクタ２０内への挿通領域に設けている。
該分岐線１３Ａ、１３Ｂの引き出し部とは幹線１１とのテープ１５を巻き付けて、分岐線１３の位置を固定している。
さらに、図１（Ｂ）に示すように、前後方向に振り分ける分岐線１３は、２本の分岐線１３Ａ、１３Ｂを一組として分岐根元側にテープ１５を巻きつけて結束する一方、端末側は結束しないで二股に分岐させてもよい。
また、図１（Ｃ）に示すように、スプライス部１４を設けた４本の分岐線１３を幹線１１の同一箇所から分岐させてテープ１５により前後および左右方向に位置決めしてもよい。
【００２９】
プロテクタ２０は樹脂成形品からなり、図２に示すように、底壁２３と左右両側壁２４とからなる上面開口のプロテクタ本体２１と、該プロテクタ本体２１の上面開口を閉鎖する蓋２２とを備え、該蓋２２は、プロテクタ本体２１の一方の側壁２４の上端２４ａに薄肉ヒンジ部２６を介して開閉自在に連続一体に設けている。
前記蓋２２には、開閉端２２ａより係止爪２７を下方に突設し、プロテクタ本体２１の蓋開閉側の側壁２４の外面には、前記係止爪２７を挿入係止する被係止枠部２８を突設している。
【００３０】
前記プロテクタ本体２１の左右両側壁２４と底壁２３で囲まれた空間は幹線挿通部２５とし、左右両側壁２４の内面の上部には、前記複数のスプライス接続部１４の個数と同数のスプライス収容部３０を、同一側壁に隙間をあけて直列に突設し、かつ、左右両側壁に並列に突設している。
【００３１】
前記スプライス収容部３０は上面開口のボックス形状よりなり、図３に示すように、プロテクタ本体２１の側壁２４と空間をあけて対向する突出側壁３１と、該突出側壁３１とプロテクタ本体２１の側壁２４とを連結する下側保持壁３２と、スプライス接続部１４の先端側と対向する一端側の閉鎖壁３３とを備え、該閉鎖壁３３と対向する位置に、スプライス接続部１４に連続する電線端末の引出用開口３４を設けている。前記突出側壁３１の上端３１ａはプロテクタ本体２１の側壁２４の上端２４ａと同一高さとし、スプライス収容部３０の上面開口部３５が前記蓋２２で閉鎖される構成としている。
【００３２】
前記プロテクタ本体２１の側壁２４の上端２４ａと前記突出側壁３１の上端３１ａの電線引出側端からは、可撓性を有する一対の電線抜け防止用押さえ片３６を互いに対向方向に突設している。該一対の押さえ片３６の先端間は所要寸法離隔させ、その離隔寸法はスプライス接続部１４の最小径よりも小さい寸法に設定している。
【００３３】
前記スプライス収容部３０の下側保持壁３２には、図３に示すように、閉鎖壁３３に接した奥位置に水抜き用開口３７を設けている。
【００３４】
前記スプライス収容部３０は２個のスプライス収容部３０Ａ、３０Ｂを一組とし、図２に示すように、該一組のスプライス収容部３０Ａ、３０Ｂを、プロテクタ本体２１の同一側壁２４に隙間をあけて直列に隣接させると共に、それぞれの電線引出用開口３４を対向させて設けている。かつ、左右側壁に対称にスプライス収容壁３０Ａ、３０Ｂを一組として突設している。
【００３５】
前記構成のプロテクタ２０にワイヤハーネス１０を収容固定するには、まず、プロテクタ本体２１の幹線挿通部２５に幹線１１を挿通した後、図４に示すように、一組に結束された２本の分岐線１３Ａ、１３Ｂの各先端のスプライス接続部１４Ａ、１４Ｂを、前記一組の各スプライス収容部３０Ａ、３０Ｂに振り分けて１個ずつ収容し、各スプライス接続部１４Ａ、１４Ｂに連続する分岐線１３Ａ、１３Ｂを前記引出用開口３４から引き出す。
なお、図１（Ｃ）に示すように４本の分岐線１３を一組として、前後方向と左右方向とに振り分けて、夫々左右両側のスプライス収容部に１個づつ収容してもよい。
このとき、スプライス接続部１４は、図５（Ａ）に示すように、各スプライス収容部３０の上面開口部３５から前記押さえ片３６を押し下げながら挿入する。挿入後は、図５（Ｂ）に示すように、該押さえ片３６が弾性復元して分岐線１３を上から押さえることによって抜け外れを規制する。
【００３６】
同様に、他のスプライス接続部１４も各スプライス収容部３０に１個ずつ収容して、図６に示すように、すべてのスプライス接続部１４（１４Ａ、１４Ｂ）をスプライス収容部３０（３０Ａ、３０Ｂ）に収容固定する。その後、図７に示すように、プロテクタ本体２１の上面に蓋２２を被せ、係止爪２７を被係止枠部２８に挿入係止してロック閉鎖する。
【００３７】
前記スプライス収容構造は、各スプライス収容部３０にスプライス接続部１４を１個ずつ挿入することにより、各スプライス接続部１４を容易に位置決め収容することができるうえ、プロテクタ本体２１には複数の前記スプライス収容部３０を隙間をあけて分離独立した状態で設けているため、１個のスプライス収容部３０に１個のスプライス接続部１４を収容することによって、各スプライス接続部１４を絶縁することができる。
【００３８】
また、前記スプライス収容部３０は、プロテクタ本体２１の底壁２３より上方位置の側壁２４の上部に設けているため、プロテクタ本体２１内が浸水した場合でも、底壁２３を伝ってスプライス収容部３０内にまで浸水することを防止でき、浸水によるスプライス接続部１４間の短絡等を防止できる。
さらに、該スプライス収容部３０の上面開口部３５は蓋２２で閉鎖されるため、該上面開口部３５からスプライス収容部３０内に水が浸入することも防止できる。また、万が一スプライス収容部３０内が浸水しても、前記水抜き用開口３７から水を排出できるため、長時間継続してスプライス接続部１４が浸水することを防止できる。
【００３９】
このように、スプライス接続部１４をスプライス収容部３０内に収容することによって、スプライス接続部１４に絶縁処理および浸水を防止して防水処理を施した場合と同等の効果が得られるため、前以て個別にスプライス接続部１４に絶縁・防水処理を施す必要がなく、導体を露出させたまま収容できるため、工数を削減でき、作業性を向上させることができる。また、従来必要としたキャップ等の絶縁保護材も不要となるため、部品点数を削減でき、低コスト化を図ることができる。
【００４０】
さらに、スプライス接続部１４は、幹線１１をプロテクタ本体２１内に挿通した後に各スプライス収容部３０に収容固定されるため、スプライス接続部１４を有する分岐線１３を予め他の電線からより分けておく必要がない。しかも、前記スプライス収容部３０は、プロテクタ本体２１の左右両側壁２４に、前後方向に間隔をあけて複数並設しているため、前記分岐線１３を限られた配置位置に寄せ集める等の作業も不要となる。
【００４１】
また、前記のように左右前後に分散して並設された複数のスプライス収容部３０によって、プロテクタ本体２１内に挿通された幹線１１を複数個所で分散して押さえつけることができるため、ワイヤハーネス１０を容易かつ確実に位置決め固定することができ、この点からもワイヤハーネス組立の作業性を向上させることができる。
【００４２】
さらにまた、スプライス接続部１４の抜け外れは、前記押さえ片３６や蓋２２によって規制されるため、仕様差によるスプライス接続部１４の径差にも対応でき、単純なボックス形状のスプライス収容部３０でありながら、異なる径の多様なスプライス接続部１４を収容することができる。
【００４３】
また、前記スプライス収容部３０は、幹線１１の挿通の邪魔にならないプロテクタ本体２１の上部隅のデッドスペースを利用して複数個形成されるため、限られたスペースに多数のスプライス接続部１４を収容できると共に、プロテクタ２０の肥大化、ひいてはワイヤハーネス１０の径の肥大化を抑制することができる。
【００４４】
図８および図９に、本発明の第二実施形態に係るワイヤハーネスのスプライス収容構造を示す。
本実施形態においては、プロテクタ本体２１の両側壁２４の外面の上部に複数のスプライス収容部３０を間隔をあけて並設し、該スプライス収容部３０にスプライス接続部１４を収容している。
【００４５】
前記プロテクタ収容部３０を、２個のプロテクタ収容部３０Ａ、３０Ｂを１組として同一側壁２４に隣接して設けていると共に、互いの電線引出用開口３４を対向させている点は前記第一実施形態と同一である。プロテクタ本体２１の側壁２４には、各組のプロテクタ収容部３０Ａ、３０Ｂ間の隙間に対応する位置に、電線引出凹部２９を上端２４ａから切り欠いて設けており、該電線引出凹部２９に分岐線１３Ａ、１３Ｂを挿通して側壁２４外に引き出し、該分岐線１３Ａ、１３Ｂの先端の各スプライス接続部１４Ａ、１４Ｂをプロテクタ収容部３０Ａ、３０Ｂに振り分けて収容している。
【００４６】
プロテクタ本体２１の上面開口を閉鎖する蓋２２は、一方の側壁２４の外面側に形成したスプライス収容部３０の突出側壁３１の上端３１ａに、薄肉ヒンジ部２６を介して開閉自在に連続一体に形成している。該蓋２２の平面視形状は長方形状であり、その開閉端２２ａは、プロテクタ本体２１の他方の側壁２４の外面に突設したスプライス収容部３０の突出側壁３１の位置まで延在し、該蓋２２を閉鎖することにより、プロテクタ本体２１の上面開口とスプライス収容部３０の上面開口を閉鎖できる構成としている。
【００４７】
前記蓋２２には、開閉端２２ａより下方に係止爪２７を突設し、該係止爪２７を挿入係止する被係止枠部２８は、前記他方の側壁２４の外面に突設したスプライス収容部３０の突出側壁３１の外面に形成している。
その他の構成は前記第一実施形態と同一構成であるため、同一符号を付して説明を省略する。
【００４８】
本実施形態は、スプライス収容部３０をプロテクタ本体２１の両側壁２４の外側に形成していることにより、図９に示すように、プロテクタ本体２１内の幹線挿通部２５を広く確保できるため、径の太いワイヤハーネス１０のスプライス収容構造に好適に用いることができる。
【００４９】
本発明は前記実施形態に限定されるものではない。特に、図１０に示すように、スプライス収容部３０は、プロテクタ本体２１の両側壁２４の内面側と外面側の両方に並設してもよい。また、蓋２２は、プロテクタ本体２１とは別体としてもよい。
【図面の簡単な説明】
【００５０】
【図１】（Ａ）（Ｂ）（Ｃ）は、本発明の第一実施形態に係るスプライス接続部を端末に設けた分岐線をワイヤハーネスの幹線から分岐させている状態を示す斜視図である。
【図２】本発明の第一実施形態に係るプロテクタを示す斜視図である。
【図３】図２に示すプロテクタのスプライス収容部を示す平面図である。
【図４】スプライス収容部にスプライス接続部を収容固定する作業を示す斜視図である。
【図５】（Ａ）（Ｂ）は、スプライス収容部にスプライス接続部を挿入するときの押さえ片の変形を示す説明断面図である。
【図６】プロテクタ本体内にワイヤハーネスを収容固定した状態を示す斜視図である。
【図７】図６に示すプロテクタ本体に蓋を閉鎖した状態を示す正面図である。
【図８】本発明の第二実施形態に係るスプライス収容構造を示す斜視図である。
【図９】図８に示すプロテクタ本体に蓋を閉鎖した状態を示す斜視図である。
【図１０】本発明に係るスプライス収容構造の他の例を示す正面図である。
【図１１】（Ａ）（Ｂ）は従来例を示す図である。
【図１２】（Ａ）（Ｂ）は他の従来例を示す図である。
【符号の説明】
【００５１】
１０  ワイヤハーネス
１１  幹線
１３（１３Ａ、１３Ｂ）  分岐線
１４（１４Ａ、１４Ｂ）  スプライス接続部
２０  プロテクタ
２１  プロテクタ本体
２２  蓋
２４  両側壁
３０（３０Ａ、３０Ｂ）  スプライス収容部
【図１】
0005050927.tif 000002
【図２】
0005050927.tif 000003
【図３】
0005050927.tif 000004
【図４】
0005050927.tif 000005
【図５】
0005050927.tif 000006
【図６】
0005050927.tif 000007
【図７】
0005050927.tif 000008
【図８】
0005050927.tif 000009
【図９】
0005050927.tif 000010
【図１０】
0005050927.tif 000011
【図１１】
0005050927.tif 000012
【図１２】
0005050927.tif 000013